(57)【要約】  無線通信システムにおけるマルチメディアブロードキャストサービス／マルチキャストサービス（ＭＢＭＳ）に関するメッセージの伝送方法において、加入者局（ＵＥ１，ＵＥ２；ＵＥ）へ伝送前に複数の加入者に利用されるサービスとしての有効情報の存在が報告される。加入者局への報告は、当該のサービス専用のページングインジケータチャネル（ＭＢＭＳＰＩＣＨ）を介して行われる。
2007511149.tif 000002
【特許請求の範囲】
【請求項１】
複数の加入者に利用されるサービス（ＭＢＭＳ）としての有効情報の存在を伝送前に加入者局（ＵＥ１，ＵＥ２；ＵＥ）へ報告する、
無線通信システムにおけるデータ伝送方法において、
加入者局への報告はサービス専用のページングインジケータチャネル（ＭＢＭＳＰＩＣＨ）を介して行う
ことを特徴とする無線通信システムにおけるデータ伝送方法。
【請求項２】
サービス専用のページングインジケータチャネル（ＭＢＭＳＰＩＣＨ）において複数の不連続受信サイクルでページングインジケータ（ＰＡＺ２；ＰＡＺ４）を伝送する、請求項１記載の方法。
【請求項３】
サービス専用のページングインジケータチャネル（ＭＢＭＳＰＩＣＨ）において複数の不連続受信サイクルで同一のおよび／または異なる反復レートによりページングインジケータ（ＰＡＺ２；ＰＡＺ４）を伝送する、請求項２記載の方法。
【請求項４】
ページングインジケータ（ＰＡＺ２；ＰＡＺ４）の複数の不連続受信サイクルをサービス専用のページングインジケータチャネル（ＭＢＭＳＰＩＣＨ）に対してサービスまたはサービスクラスごとに適用する、請求項２または３記載の方法。
【請求項５】
サービス専用のページングインジケータチャネル（ＭＢＭＳＰＩＣＨ）上のページングインジケータ（ＰＡＺ２；ＰＡＺ４）はサービス制御チャネル（ＭＣＣＨ）に対する情報を含む、請求項１から４までのいずれか１項記載の方法。
【請求項６】
サービス専用のページングインジケータチャネル（ＭＢＭＳＰＩＣＨ）上の少なくとも１つのページングインジケータ（ＰＡＺ４）は種々のサービスを識別するための情報を含む、請求項５記載の方法。
【請求項７】
サービス専用のページングインジケータチャネルを介した報告を検出するために、加入者局は不連続受信サイクルでサービス専用のページングインジケータチャネル（ＭＢＭＳＰＩＣＨ）を介して周期的にページングインジケータ（ＰＡＺ２；ＰＡＺ４）を受信するか、またはセルページングインジケータチャネル（ＣＥＬＬＰＩＣＨ）を介してページングインジケータ情報（ＰＡＩ）を受信する、請求項１から６までのいずれか１項記載の方法。
【請求項８】
セルページングインジケータチャネル（ＣＥＬＬＰＩＣＨ）上のページングインジケータ情報（ＰＡＩ）は、サービス専用のページングインジケータチャネル（ＭＢＭＳＰＩＣＨ）上のサービス情報を指示するための複数のビットを含む、請求項７記載の方法。
【請求項９】
セルページングインジケータチャネル（ＣＥＬＬＰＩＣＨ）上のページングインジケータ情報（ＰＡＩ）は、サービスクラスの指示および／またはページングごとの連続番号を含む、請求項８記載の方法。
【請求項１０】
複数の加入者に利用されるサービス（ＭＢＭＳ）としての有効情報の存在を伝送前に加入者局（ＵＥ１，ＵＥ２；ＵＥ）へ報告する手段を備えている、
無線通信システムにおけるデータ伝送のための基地局（ＮｏｄｅＢ）において、
報告を形成してサービス専用のページングインジケータチャネル（ＭＢＭＳＰＩＣＨ）を介して各加入者局へ送信する手段が設けられている
ことを特徴とする無線通信システムにおけるデータ伝送のための基地局。
【請求項１１】
サービス専用のページングインジケータチャネル（ＭＢＭＳＰＩＣＨ）において複数の不連続受信サイクルでページングインジケータ（ＰＡＺ２；ＰＡＺ４）を伝送する手段が設けられている、請求項１０記載の基地局。
【請求項１２】
サービス専用のページングインジケータチャネル（ＭＢＭＳＰＩＣＨ）において複数の不連続受信サイクルで同一のおよび／または異なる反復レートによりページングインジケータ（ＰＡＺ２；ＰＡＺ４）を伝送する手段が設けられている、請求項１１記載の基地局。
【請求項１３】
ページングインジケータ（ＰＡＺ２；ＰＡＺ４）の複数の不連続受信サイクルをサービス専用のページングインジケータチャネル（ＭＢＭＳＰＩＣＨ）に対してサービスまたはサービスクラスごとに適用する手段が設けられている、請求項１１または１２記載の基地局。
【請求項１４】
請求項１から９までのいずれか１項記載の無線通信システムにおけるデータ伝送方法を実行する加入者局において、
サービス専用のページングインジケータチャネル（ＭＢＭＳＰＩＣＨ）を介して伝送されてくる報告を検出する手段を有し、
ここで、ページングインジケータ（ＰＡＺ２；ＰＡＺ４）が不連続受信サイクルでサービス専用のページングインジケータチャネル（ＭＢＭＳＰＩＣＨ）を介して周期的に受信されるか、またはページングインジケータ情報（ＰＡＩ）がセルページングインジケータチャネル（ＣＥＬＬＰＩＣＨ）を介して受信される
ことを特徴とする加入者局。
【請求項１５】
例えば請求項１から９までのいずれか１項記載の無線通信システムにおけるデータ伝送方法を実行する無線通信システムにおいて、
請求項１０から１３までのいずれか１項記載の少なくとも１つの基地局（ＮｏｄｅＢ）および／または請求項１４記載の加入者局（ＵＥ１，ＵＥ２；ＵＥ）を含む
ことを特徴とする無線通信システム。
【発明の詳細な説明】
【技術分野】
【０００１】
本発明は、請求項１の上位概念記載の無線通信システムにおけるデータ伝送方法に関する。無線通信システムは少なくとも１つの無線網制御装置、少なくとも１つの基地局および少なくとも１つの加入者局を備えている。
【０００２】
本発明はさらに請求項１０の上位概念記載の無線通信システムにおけるデータ伝送のための基地局に関する。
【０００３】
サービスは有線通信システムにおいても無線通信システムにおいてもますます重要な意義を有するようになってきている。これが予測通りに発展していくとすれば、利用可能となるサービスの数は今後著しく増大するであろう。無線通信システムではこのことは加入者の移動性に基づいていっそう重要である。
【０００４】
無線通信システムでは情報、例えば音声、画像情報、ビデオ情報、ショートメッセージサービスＳＭＳ、マルチメディアメッセージサービスＭＭＳまたはその他が電磁波を用いた無線インタフェースを介して送信局と受信局とのあいだ（基地局と加入者局とのあいだ）で伝送される。電磁波の送信はここではシステムごとに用意された帯域の搬送周波数で行われる。
【０００５】
ＧＳＭ移動無線システム（Global System for Mobile Communication）では９００ＭＨｚ，１８００ＭＨｚ，１９００ＭＨｚの周波数が用いられている。このシステムは主として音声、ＦＡＸ、ショートメッセージＳＭＳおよびディジタルデータを伝達する。
【０００６】
ＣＤＭＡ法またはＴＤ／ＣＤＭＡ法を用いた将来の移動無線システム、例えば第３世代のＵＭＴＳ移動無線システム（Universal Mobile Telecommunication System）その他では約２０００ＭＨｚの帯域の周波数が用いられている。こうした第３世代のシステムは、全世界を無線によってカバーするために、データ伝送サービスの拡大と最小のリソースでの無線インタフェースの容量のフレキシブルな管理とを開発してきた。特に、無線通信システムにおけるインタフェースのフレキシブルな管理とは、必要に応じて加入者局が大量のデータを高速で送受信できるようにすることを意味する。
【０００７】
前述のＵＭＴＳ移動無線システムではいわゆる周波数分割多重モード（ＦＤＤモード）と時分割多重モード（ＴＤＤモード）とが区別される。ＴＤＤモードでは特に信号伝送のアップリンク方向ＵＬおよびダウンリンク方向ＤＬに対して共通の周波数帯域を利用しており、ＦＤＤモードでは２つの伝送方向に対してそれぞれ異なる周波数帯域が用いられている。
【０００８】
セルラー無線網では少なくとも１つの基地局と少なくとも１つの基地局とのあいだの接続は無線通信インタフェースを介して行われる。基地局は複数の無線セル、例えばセクタの形態のセルを駆動する。
【０００９】
通常は基地局および無線網制御装置ＲＮＣは無線網サブシステムＲＮＳ（Radio Network System）のユニットである。無線通信システムは一般にはコアネットワークＣＮ（Core Network）に接続された複数の基地局サブシステムを含む。この場合に基地局サブシステムの無線網制御装置はコアネットワークのアクセス装置ＳＧＳＮ（Serving GPRS Support Node）に接続されている。
【００１０】
個別の有効情報のほか、無線通信システムでは複数のユーザの利用するデータが伝送される。例えばこうした有効情報はビデオストリームまたは他のブロードキャスト情報／マルチキャスト情報を含む。各加入者に対して個別に設けられる有効情報だけでなく、複数の加入者が利用することのできる有効情報を伝送するサービスは、ＭＢＭＳ（Multimedia Broadcast/Multicast service）という概念のもとにまとめられる。種々のＭＢＭＳサービスはコアネットワークでは一般に個別のデータストリームとして調製される。
【００１１】
有効情報がサービスとして複数の加入者に利用される前に、サービスの利用を所望する加入者の加入者局に対して報告が行われる。この報告（メッセージ送信）は受信機のコンフィグレーションに必須である。加入者局がいずれのモード（接続モードまたはアイドルモード）にあるかに依存して、例えば“通知”または“ページング”の形態で報告が行われる。通常はこの報告のために、複数の加入者局へ同時に問い合わせを行うことのできる機構がグループごとに設けられている。
【００１２】
ブロードキャスト情報／マルチキャスト情報はサービスとして有利に伝送されるべきである。特に無線リソースの占有はできるだけ回避しなければならない。
【００１３】
次にＭＢＭＳサービスを詳細に考察する。ただし本発明の適用範囲はこれに限定されない。
【００１４】
３ＧＰＰ（3rd Generation Partnership Project）でのＵＴＲＡＮ（UMTS Terrestrial Radio Accees）およびＧＥＲＡＮ（GSM EDGE Radio Access Network）のネットワーク機能の標準化の枠組みにおいてＭＢＭＳのサポートが定義されている。その詳細は技術仕様書3GPP TS 22.146 V6.2.0(2003-03)および3GPP TS 23.246 V1.1.0 (2003-07)から得られる。ＭＥＭＳの目的は、マルチメディアデータを高いデータレートでポイントツーマルチポイント接続の共通のチャネルを介して一方向に一度だけ伝送し、複数の加入者に利用してもらうことである。ここで有利には無線セルごとに唯一のＭＢＭＳ無線チャネルが使用される。これにより有利には１つのデータを複数のポイントツーポイント接続または複数のチャネルを介して複数回伝送することが回避される。
【００１５】
相応に無線セル内の受信側の加入者局をＭＢＭＳの受信に対してコンフィグレーションするために、加入者局はサービスの本来のデータ伝送前にインジケータまたは報告を受け取る必要がある。この場合、不連続受信を支援するため、アイドルモードおよびＵＲＡ／ＣＥＬＬ＿ＰＣＨの加入者局に対する周知のＵＴＲＡページングメカニズムを使用し、複数の加入者局をいわゆるページンググループにまとめ、定義された時間、例えばＤＲＸサイクル中の固有のイベント、例えば音声コネクションの形成のための加入者局のページングにより報告を行うと良い。
【００１６】
技術仕様書3GPP TS 25.304 V5.3.0 (2003-06) "User Equipment (UE) procedures in idle mode and procedures for cell reselection in connected mode (Release 5)"の第8.3章から加入者局での前述の不連続受信ＤＲＸ（Discontinuous Reception）が公知である。ここでＤＲＸサイクルとはページング時点のあいだの加入者局ごとの時間インターバル、すなわち不連続受信サイクルのことである。
【００１７】
さらに、技術仕様書3GPP TS 25.304 V5.3.0 (2003-06)の第8.1章および技術仕様書3GPP TS 25.211 V5.4.0 (2003-06) "Physical channels and mapping of transport channels onto physical channels (FDD) (Release 5)"の第5.3.3.10章から、前述のページングインジケータチャネルＰＩＣＨ（Paging Indicator Channel）が公知である。ＰＩＣＨは固定のデータレートでページングインジケータを伝送する物理チャネルである。ＰＩＣＨはつねにＰＣＨトランスポートチャネルをマッピングするＳ‐ＣＣＰＣＨに関連する。
【００１８】
技術仕様書3GPP TS 25.211 V5.4.0 (2003-06)の図24にはＰＩＣＨの１０ｍｓの無線フレームが示されている。このフレームではページングインジケータに対して２８８ｂｉｔが使用され、残りの１２ｂｉｔは使用されていない。
【００１９】
ＵＴＲＡページング機構の利用に関連して、実際には２つの実施形態、すなわち
ａ）既存の加入者端末機の専用のＤＲＸサイクルとこれまで使用されていなかったＰＩＣＨの１２ｂｉｔを用いる手法、および
ｂ）付加的なサービス専用のＤＲＸサイクルと既に利用されているＰＩＣＨの２８８ｂｉｔを用いる手法
を考えることができる。
【００２０】
手法ａ）は加入者端末機が専用のＤＲＸサイクル内で唯一のＰＩＣＨフレームのみを受信すればよく、エネルギ消費が小さいという利点を有する。欠点として、１２個という僅かな数のｂｉｔしか利用できず、大量のＭＢＭＳサービスには不適であることが挙げられる。
【００２１】
手法ｂ）は２８８個という多数のｂｉｔをＭＢＭＳサービスの識別に利用できるという利点を有する。とはいえ、この手法にも加入者端末機が多くのＰＩＣＨフレームを受信しなければならず、エネルギ消費が上昇するという欠点がある。
【００２２】
したがって本発明の課題は、冒頭に言及した形式の方法および基地局においてサービスの効率的な提供を可能にすることである。
【００２３】
この課題は請求項１記載の特徴を有する方法および請求項１０記載の特徴を有する基地局を構成することにより解決される。
【００２４】
複数の加入者に利用されるサービスとしての有効情報の存在を伝送前に加入者局へ報告する、本発明の無線通信システムにおけるデータ伝送方法では、加入者局への報告はサービス専用のページングインジケータチャネルを介して行われる。
【００２５】
ポイントツーマルチポイント伝送によるサービス、例えばＭＢＭＳサービスの伝送の複数の加入者局への報告は、個々の加入者局に加入者局専用のポイントツーポイント接続を介して例えば到来する呼を知らせるためのセルページングインジケータチャネルを介した報告からは独立に行われる。加入者局専用のポイントツーポイント接続は例えば線交換（サーキットスイッチング）式またはパケット交換（パケットスイッチング）式に構成されている。複数の加入者局へ同時に伝送されるＭＢＭＳサービスの報告は、本発明によれば、加入者専用の接続のための報告からは独立に行われる。セルページングインジケータチャネルは例えば技術仕様書3GPP TS25.304 V5.3.0 (2003-06)の第8.1章および3GPP TS25.211 V5.4.0 (2003-06)の第5.3.3.10章に記載されているページングインジケータチャネルＰＩＣＨに相応する。本発明によれば、サービス、例えばＭＢＭＳサービスの受信を登録している加入者局のみが、ポイントツーマルチポイントで伝送されるサービス、例えばＭＢＭＳサービスを専用のページングインジケータチャネルでこれを受信することができる。特にサービス専用のページングインジケータチャネルはセルページングインジケータチャネルと同時の送信および加入者局による受信が可能である。セルページングインジケータチャネルおよびサービス専用のページングインジケータチャネルで受信されたページングインジケータの評価は加入者局によって例えばシーケンシャルに行われる。
【００２６】
有利には、サービス専用のページングインジケータチャネルにおいて複数の不連続受信サイクルでページングインジケータが伝送される。
【００２７】
或る実施形態では、ページングインジケータの複数の不連続受信サイクルがサービス専用のページングインジケータチャネルに対してサービスまたはサービスクラスごとに適用される。このようにすれば種々のタイプのサービスまたはサービスクラスに種々の不連続受信サイクルを対応させることができる。加入者局は例えば自身のために構成されたサービスまたはサービスクラス、また自身の登録したサービスまたはサービスクラスのみを不連続受信サイクルで受信する。加入者局はこのように必要な受信サイクルのみを受信するので、全サイクルにわたって受信しつづける手段に比べてエネルギ消費が大幅に低減される。サービスクラスとしてのサービスの分割は例えば段階的な伝送（ビデオデータのストリーミング）または連続的な伝送（ダウンロード）により行われる。
【００２８】
別の実施形態では、サービス専用のページングインジケータチャネルにおいて複数の不連続受信サイクルで同一のおよび／または異なる反復レートによりページングインジケータが伝送される。これによりページングインジケータに対する反復レートが例えば当該のページングインジケータの用いられるサービスクラスに依存して形成される。例えばサービスクラスが高くなるにつれて反復レートも大きくなるように選定することができる。
【００２９】
有利には、サービス専用のページングインジケータチャネル上のページングインジケータはサービス制御チャネルに対する情報を含む。加入者局は、このページングインジケータの情報から、サービス制御チャネルでサービスに関する情報が受信可能であることを知ることができる。例えばサービス制御チャネルで受信された情報から相応のサービスの拡散符号を取り出すことができる。
【００３０】
別の実施形態では、サービス専用のページングインジケータチャネル上の少なくとも１つのページングインジケータは種々のサービスを識別するための情報を含む。加入者局は受信されたページングインジケータに基づいてサービス識別情報を評価し、加入者局が当該のサービスまたはサービスクラスの受信を希望しているか否か、または加入者局が当該のサービスを登録しているか否かを検出することができる。加入者局の所望のサービスであった場合には、続いて加入者局はサービス制御チャネル上を伝送されてくる情報を受信する。
【００３１】
別の実施形態では、サービス専用のページングインジケータチャネルを介して伝送されてくる報告を検出するために、加入者局は、不連続受信サイクルでサービス専用のページングインジケータチャネルを介してページングインジケータを受信するか、またはセルページングインジケータチャネルを介してページングインジケータ情報を受信する。
【００３２】
有利には、セルページングインジケータチャネル上のページングインジケータ情報は、サービス専用のページングインジケータチャネルに対するサービス情報を指示するための複数のビットを含む。複数のビットを使用することにより、ページングインジケータ情報の情報内容はビット数の２倍の高さとなる。
【００３３】
複数のビットを使用することにより、有利には、セルページングインジケータチャネル上のページングインジケータ情報は、サービスクラスの指示および／またはページングごとの連続番号を含む。したがって加入者局は、どのサービスクラスがサービス専用のページングインジケータチャネル上を伝送されてくるページングインジケータに関連するか、および／または固有の連続番号によりどのページングインジケータが次に伝送されてくるかを識別することができる。加入者局が例えばあらかじめサービス専用のページングインジケータチャネルで実際に受信されたページングインジケータ情報から取り出した連続番号に対応するページングインジケータを受信している場合、加入者局は当該のチャネルの当該のページングインジケータを新たには受信しない。これにより既に受信されているページングインジケータの２重受信が回避される。
【００３４】
そのほかの有利な実施形態も従属請求項の対象となる。
【００３５】
本発明の基地局および無線通信システムは特に本発明の方法の実行に適している。基地局、無線通信システムないしはその構成要素には、本発明の方法およびその実施態様を実行するための相応の手段および装置が設けられている。
【００３６】
本発明を図示の実施例に則して以下に詳細に説明する。図１には無線通信網の概略図が示されている。図２には本発明のサービス専用のページングインジケータチャネルＭＢＭＳＰＩＣＨを用いた伝送の第１の実施例のフローチャートが示されている。図３には本発明のサービス専用のページングインジケータチャネルＭＢＭＳＰＩＣＨを用いた伝送の第２の実施例のフローチャートが示されている。
【００３７】
図中同じ素子には同じ参照番号を付してある。
【００３８】
図１には公知の無線通信システムの構造のブロック図が示されている。これは例えば前述のＧＳＭ移動無線システムまたはＵＭＴＳ移動無線システムとして実現される。上掲の技術仕様書3GPP TS 23.246 V1.1.0 (2003-07)の第4.2章には本発明で使用されるアーキテクチャの参照モデルが示されている。
【００３９】
複数の基地局ＮｏｄｅＢは無線セルＡ，Ｂ，Ｃを管轄している。基地局ＮｏｄｅＢは無線網制御装置ＲＮＣを介して図示されていない移動交換局ＭＳＣ（Mobile Switching Center）に接続されている。無線網制御装置ＲＮＣは特に中央で無線リソースを複数の基地局に割り当てる役割を担っている。基地局ＮｏｄｅＢおよび無線網制御装置ＲＮＣの組み合わせは無線網サブシステムＲＮＳ（Radio Network Subsystem）と称される。各基地局は割り当てられた無線リソースにより加入者端末機ＵＥ１，ＵＥ２へのコネクションを形成しトリガする。加入者端末機は例えば移動端末機または定置型端末機である。
【００４０】
無線網制御装置ＲＮＣははさらに前述のＳＧＳＮおよびＧＧＳＭを介してＢＭ−ＳＣ（Broadcast-Multicast Service Center）に接続されている。この装置の機能は特に前掲の技術仕様書3GPP TS 23.246 V1.1.0 (2003-07)の第5.1章および第5.4章に記載されている。ＢＭ‐ＳＣは、例えばサービスプロバイダＣＰに対するアクセスインタフェースとして、ＭＢＭＳチャネルの形成開始およびこのチャネルでのデータ伝送の時間制御に用いられる。ＳＧＳＮはＭＢＭＳデータの伝送に対する無線網制御機能を満足する。ここには詳細に示されていない別のシステムコンポーネントがＭＢＭＳサービスを実現するために用いられることもある。
【００４１】
同様に本発明は第２世代システム、例えばＧＳＭの無線網コンポーネントにも適用可能である。
【００４２】
図２には本発明のサービス専用のページングインジケータチャネルＰＩＣＨを用いた伝送のフローチャートが示されている。
【００４３】
加入者局ＵＥ、例えば加入者端末機ＵＥ１，ＵＥ２は不連続受信サイクルにしたがってセルページングインジケータチャネルＣＥＬＬＰＩＣＨを読み出す。このことはセルページングインジケータチャネルＣＥＬＬＰＩＣＨ上の“加入者局がＰＩＣＨを読み出す”という矢印によって表されている。加入者局ＵＥは第１の受信サイクルで第１のページングインジケータＰＡＺ１を従来技術と同様に検出し、その処理後、次のステップでトランスポートチャネルＰＣＨを読み出す。このことは“加入者局がＰＣＨを読み出す”という矢印によって表されている。
【００４４】
セルページングインジケータチャネルＣＥＬＬＰＩＣＨでの別の受信サイクルにおいて、加入者局ＵＥはページングインジケータ情報ＰＡＩを受信する。この情報は例えば４ｂｉｔで形成されている。これに代えてページングインジケータ情報ＰＡＩを１ｂｉｔまたは任意の数のｂｉｔにより形成することもできる。
【００４５】
ページングインジケータ情報ＰＡＩの受信ビットの構成は例えば一般的なＭＢＭＳサービスのほか加入者局ＵＥに対して設けられたＭＢＭＳサービスを含むサービスクラスに対応する。ＭＢＭＳサービスの受信に対しては加入者局ＵＥが例えばあらかじめサービスプロバイダに報告している。加入者局ＵＥは、ページングインジケータ情報ＰＡＩから、ＭＢＭＳサービスに対して第２のページングインジケータＰＡＺ２がサービス専用のページングインジケータチャネルＭＢＭＳＰＩＣＨで伝送されることを読み出す。
【００４６】
ページングインジケータ情報ＰＡＩのビットをサービスクラスに割り当てることに代えて、またはこれに加えて、少なくとも１つのビットコンビネーションに所定のサービス、例えば当該の加入者局ＵＥに対して設けられたＭＢＭＳサービスを割り当てることもできる。ビットコンビネーションは例えばサービスに対応するページングごとの連続番号に相応する。このようにページングインジケータ情報ＰＡＩは加入者局ＵＥに対して、所定のサービスのページングインジケータがサービス専用のページングインジケータチャネルＭＢＭＳＰＩＣＨで伝送されるか否かを明示的に表す。
【００４７】
加入者局ＵＥに対して設けられたＭＢＭＳサービスを含むサービスクラスのページングインジケータを伝送するために、サービス専用のページングインジケータチャネルＭＢＭＳＰＩＣＨで不連続受信サイクルが使用される。ここでは、この不連続受信サイクルはセルページングインジケータチャネルＣＥＬＬＰＩＣＨ上の加入者局ＵＥへの第１のページングインジケータＰＡＺ１の不連続受信サイクルよりも小さな反復レートを有する。もちろんこの不連続受信サイクルがセルページングインジケータチャネルＣＥＬＬＰＩＣＨ以上の反復レートを有するように構成してもよい。図２の反復レートは２つの隣接する矢印の間隔、つまりサービス専用のページングインジケータチャネルＭＢＭＳＰＩＣＨでの伝送およびセルページングインジケータチャネルＣＥＬＬＰＩＣＨのでの伝送の時間差に反比例する。
【００４８】
サービス専用のページングインジケータチャネルＭＢＭＳＰＩＣＨでの伝送にかかる２つの矢印は、加入者局ＵＥが先行して受信されたページングインジケータ情報ＰＡＩのトリガによってサービス専用のページングインジケータチャネルＰＩＣＨで受信する受信サイクルを表している。加入者局ＵＥは受信サイクル中に第２のページングインジケータＰＡＺ２を受信する。第２のページングインジケータＰＡＺ２は加入者局ＵＥに対してサービス制御チャネルＭＣＣＨでＭＢＭＳサービスに関する別の情報が伝送されることを表す。これに応じて加入者局ＵＥはサービス制御チャネルＭＣＣＨの別の情報を受信する。加入者局ＵＥは、ＭＢＭＳサービスを受信するためにこの別の情報を要する。サービス制御チャネルＭＣＣＨでの受信は“加入者局がＭＣＣＨを読み出す”という矢印により表されている。
【００４９】
図３には本発明の第２の実施例が概略的に示されている。加入者局ＵＥは不連続受信サイクルに相応にセルページングインジケータチャネルＣＥＬＬＰＩＣＨを読み出し、第３のページングインジケータＰＡＺ３を受信する。続いて加入者局ＵＥは、図２に示されている実施例と同様に、第３のページングインジケータＰＡＺ３に示されているトランスポートチャネルＰＣＨを読み出す。
【００５０】
この実施例ではページングインジケータＰＡＩはセルページングインジケータチャネルＣＥＬＬＰＩＣＨでは伝送されない。その代わり不連続受信サイクルが周期的にサービス専用のページングインジケータチャネルＭＢＭＳＰＩＣＨで伝送される。不連続受信サイクルは、図３の“加入者局がＭＢＭＳＰＩＣＨを読み出す”という矢印の間隔からわかるように、図２のサービス専用のページングインジケータチャネルＭＢＭＳＰＩＣＨの不連続受信サイクルよりも高い反復レートを有する。例えば図２の不連続受信サイクルは図３の不連続受信サイクルとは異なるサービスクラスまたは異なるサービスに対して用いられる。もちろん図２に示されている不連続受信サイクルを、同じ反復レートで、図３に示されている不連続受信サイクルとともにサービス専用のページングインジケータチャネルＭＢＭＳＰＩＣＨ上で使用することもできる。図示されていない実施例として、加入者局ＵＥが２つの不連続受信サイクルの一方または双方を受信し、ここで受信サイクルはそれぞれ少なくとも１つのサービスクラスまたはサービスに対応するように構成してもよい。
【００５１】
図３の加入者局ＵＥが“加入者局がＭＢＭＳＰＩＣＨを読み出す”という第１の矢印によって表される２つのサイクルのあいだにサービス専用のページングインジケータチャネルＭＢＭＳＰＩＣＨでページングインジケータなしに受信した後、当該の加入者局は第３の受信サイクルにおいて第４のページングインジケータＰＡＺ４を受信する。第４のページングインジケータＰＡＺ４は加入者局を識別するためのサービス識別情報を含み、当該の加入者局ＵＥでの受信に対して設けられたＭＢＭＳサービスに関連する。さらに第４のページングインジケータＰＡＺ４は、加入者局ＵＥに対して、ＭＢＭＳサービスを受信するのに必要な別の情報をサービス制御チャネルＭＣＣＨで受信できることを示す。したがって加入者局ＵＥはサービス制御チャネルＭＣＣＨで別の情報を受信する。このことは“加入者局がＭＣＣＨを読み出す”という矢印によって表されている。
【００５２】
加入者局ＵＥがサービス専用のページングインジケータチャネルＭＢＭＳＰＩＣＨ上で当該の加入者局ＵＥに対して設けられていないサービスを表す情報を備えたページングインジケータを受信した場合、サービス制御チャネル上でさらなる情報は受信されない。
【００５３】
もちろん、本発明によれば、加入者端末機ＵＥ１，ＵＥ２は同時に、同じサービス専用のページングインジケータチャネル上かつ種々の不連続受信サイクルで、同じページングインジケータまたは異なるページングインジケータを受信することができる。これは図２，図３の実施例に則して上述したように行われる。また種々の加入者局ＵＥ、例えば種々の加入者端末機は、本発明によりサービスクラスまたは同じサービスまたは異なるサービスクラスまたはサービスのページングインジケータを同時に受信することもできる。
【図面の簡単な説明】
【００５４】
【図１】無線通信網の概略図である。
【図２】ＭＢＭＳＰＩＣＨを用いた伝送の第１の実施例のフローチャートである。
【図３】ＭＢＭＳＰＩＣＨを用いた伝送の第２の実施例のフローチャートである。
【図１】
2007511149.tif 000003
【図２】
2007511149.tif 000004
【図３】
2007511149.tif 000005
【手続補正書】
【提出日】平成17年8月26日(2005.8.26)
【手続補正１】
【補正対象書類名】特許請求の範囲
【補正対象項目名】全文
【補正方法】変更
【補正の内容】
【特許請求の範囲】
【請求項１】
複数の加入者に利用されるサービス（ＭＢＭＳ）としての有効情報の存在を伝送前に加入者局（ＵＥ１，ＵＥ２；ＵＥ）へ報告する、
無線通信システムにおけるデータ伝送方法において、
加入者局への報告はＭＢＭＳサービス専用のページングインジケータチャネル（ＭＢＭＳＰＩＣＨ）を介してページングインジケータにより行い、
ここでページングインジケータはサービス制御チャネル（ＭＣＣＨ）に対する情報を含む
ことを特徴とする無線通信システムにおけるデータ伝送方法。
【請求項２】
ＭＢＭＳサービス専用のページングインジケータチャネル（ＭＢＭＳＰＩＣＨ）において複数の不連続受信サイクルでページングインジケータ（ＰＡＺ２；ＰＡＺ４）を伝送する、請求項１記載の方法。
【請求項３】
ＭＢＭＳサービス専用のページングインジケータチャネル（ＭＢＭＳＰＩＣＨ）において複数の不連続受信サイクルで同一のおよび／または異なる反復レートによりページングインジケータ（ＰＡＺ２；ＰＡＺ４）を伝送する、請求項２記載の方法。
【請求項４】
ページングインジケータ（ＰＡＺ２；ＰＡＺ４）の複数の不連続受信サイクルをＭＢＭＳサービス専用のページングインジケータチャネル（ＭＢＭＳＰＩＣＨ）に対してサービスまたはサービスクラスごとに適用する、請求項２または３記載の方法。
【請求項５】
ＭＢＭＳサービス専用のページングインジケータチャネル（ＭＢＭＳＰＩＣＨ）上の少なくとも１つのページングインジケータ（ＰＡＺ４）は種々のサービスを識別するための情報を含む、請求項４記載の方法。
【請求項６】
ＭＢＭＳサービス専用のページングインジケータチャネル（ＭＢＭＳＰＩＣＨ）を介した報告を検出するために、加入者局は不連続受信サイクルでＭＢＭＳサービス専用のページングインジケータチャネル（ＭＢＭＳＰＩＣＨ）を介して周期的にページングインジケータ（ＰＡＺ２；ＰＡＺ４）を受信するか、またはセルページングインジケータチャネル（ＣＥＬＬＰＩＣＨ）を介してページングインジケータ情報（ＰＡＩ）を受信する、請求項１から５までのいずれか１項記載の方法。
【請求項７】
セルページングインジケータチャネル（ＣＥＬＬＰＩＣＨ）上のページングインジケータ情報（ＰＡＩ）は、ＭＢＭＳサービス専用のページングインジケータチャネル（ＭＢＭＳＰＩＣＨ）上のサービス情報を指示するための複数のビットを含む、請求項６記載の方法。
【請求項８】
セルページングインジケータチャネル（ＣＥＬＬＰＩＣＨ）上のページングインジケータ情報（ＰＡＩ）は、サービスクラスの指示および／またはページングごとの連続番号を含む、請求項７記載の方法。
【請求項９】
複数の加入者に利用されるサービス（ＭＢＭＳ）としての有効情報の存在を伝送前に加入者局（ＵＥ１，ＵＥ２；ＵＥ）へ報告する手段を備えている、
無線通信システムにおけるデータ伝送のための基地局（ＮｏｄｅＢ）において、
ページングインジケータ（ＰＡＺ２；ＰＡＺ４）により報告を形成してＭＢＭＳサービス専用のページングインジケータチャネル（ＭＢＭＳＰＩＣＨ）を介して各加入者局へ送信する手段が設けられており、
該ページングインジケータ（ＰＡＺ２；ＰＡＺ４）はサービス制御チャネル（ＭＣＣＨ）に対する情報を含む
ことを特徴とする無線通信システムにおけるデータ伝送のための基地局。
【請求項１０】
ＭＢＭＳサービス専用のページングインジケータチャネル（ＭＢＭＳＰＩＣＨ）において複数の不連続受信サイクルでページングインジケータ（ＰＡＺ２；ＰＡＺ４）を伝送する手段が設けられている、請求項９記載の基地局。
【請求項１１】
ＭＢＭＳサービス専用のページングインジケータチャネル（ＭＢＭＳＰＩＣＨ）において複数の不連続受信サイクルで同一のおよび／または異なる反復レートによりページングインジケータ（ＰＡＺ２；ＰＡＺ４）を伝送する手段が設けられている、請求項１０記載の基地局。
【請求項１２】
ページングインジケータ（ＰＡＺ２；ＰＡＺ４）の複数の不連続受信サイクルをＭＢＭＳサービス専用のページングインジケータチャネル（ＭＢＭＳＰＩＣＨ）に対してサービスまたはサービスクラスごとに適用する手段が設けられている、請求項１０または１１記載の基地局。
【請求項１３】
請求項１から８までのいずれか１項記載の無線通信システムにおけるデータ伝送方法を実行する加入者局において、
ＭＢＭＳサービス専用のページングインジケータチャネル（ＭＢＭＳＰＩＣＨ）を介して伝送されてくる報告を検出する手段を有し、
ここで、ページングインジケータ（ＰＡＺ２；ＰＡＺ４）が不連続受信サイクルでＭＢＭＳサービス専用のページングインジケータチャネル（ＭＢＭＳＰＩＣＨ）を介して周期的に受信されるか、またはページングインジケータ情報（ＰＡＩ）がセルページングインジケータチャネル（ＣＥＬＬＰＩＣＨ）を介して受信され、
ページングインジケータ（ＰＡＺ２；ＰＡＺ４）はサービス制御チャネル（ＭＣＣＨ）に対する情報を含む
ことを特徴とする加入者局。
【請求項１４】
例えば請求項１から８までのいずれか１項記載の無線通信システムにおけるデータ伝送方法を実行する無線通信システムにおいて、
請求項９から１２までのいずれか１項記載の少なくとも１つの基地局（ＮｏｄｅＢ）および／または請求項１３記載の加入者局（ＵＥ１，ＵＥ２；ＵＥ）を含む
ことを特徴とする無線通信システム。
【手続補正２】
【補正対象書類名】明細書
【補正対象項目名】００１０
【補正方法】変更
【補正の内容】
【００１０】
個別の有効情報のほか、無線通信システムでは複数のユーザの利用するデータが伝送される。例えばこうした有効情報はビデオストリームまたは他のブロードキャスト情報／マルチキャスト情報を含む。各加入者に対して個別に設けられる有効情報だけでなく、複数の加入者が利用することのできる有効情報を伝送するサービスは、ＭＢＭＳ（Multimedia Broadcast/Multicast service）という概念のもとにまとめられる。種々のＭＢＭＳサービスはコアネットワークでは一般に個別のデータストリームとして調製される。
XP-002275698, "Definitions and Characteristics of Multicast Channels", LG Information & Communications, Ltd. Korea, TSG-RAN Working Group2 (Radio Layer 2 and Radio Layer 3), Stockholm, 8.-11.03.1999 p1-p11から、マルチキャストサービスの伝送に必要な制御情報を伝送するためのマルチキャスト制御チャネルが公知である。マルチキャスト制御チャネルの所定のセクションはＩＭＧＩ（International Mobile Group Identity）に対応しており、所定のマルチキャストサービスについての報告を受ける加入者局は、チャネルの相応のセクションを受信して復号化するだけで、相応の制御情報を受信することができる。
【手続補正３】
【補正対象書類名】明細書
【補正対象項目名】００１１
【補正方法】変更
【補正の内容】
【００１１】
有効情報がサービスとして複数の加入者に利用される前に、サービスの利用を所望する加入者の加入者局に対して報告が行われる。この報告（メッセージ送信）は受信機のコンフィグレーションに必須である。加入者局がいずれのモード（接続モードまたはアイドルモード）にあるかに依存して、例えば“通知”または“ページング”の形態で報告が行われる。通常はこの報告のために、複数の加入者局に同時に問い合わせを行うことのできる機構がグループごとに設けられている。マルチキャストサービスのページングの例は、XP-002275700, "Considerations on MBMS Notification", Siemens, 3GPP RAN2&RAN3 Joint MBMS Meeting, Wokingham Berkshire UK, 15/16.01.2003 p1-p3に挙げられている。
【国際調査報告】
2007511149.tif 000006
2007511149.tif 000007
2007511149.tif 000008
2007511149.tif 000009
2007511149.tif 000010
2007511149.tif 000011
2007511149.tif 000012
2007511149.tif 000013